(57)【要約】【課題】少ない部品点数で、ノイズ発生源から放射されるノイズによる悪影響を除去することのできる電子機器を提供すること。【解決手段】電波吸収材で成型されたホルダー４が、液晶表示部２を保持した状態で、回路基板３に取り付けられているため、液晶表示部２から放射されるノイズはホルダー４によって吸収され、ノイズは遮蔽される。したがって回路基板３上の回路３１はノイズの影響を受けずに動作することができる。また、従来のようにコンデンサやシールド板を追加する必要がないため、機器の小型薄型化とコスト削減を図ることができる。【選択図】　　図３
2004039738.tif 000002
【特許請求の範囲】
【請求項１】
ノイズ発生源を保持し、他の部材に取り付け可能なホルダー手段を備え、
前記ホルダー手段は、前記ノイズ発生源から放射されたノイズを吸収する電波吸収材によって成型されていることを特徴とする電子機器。
【請求項２】
ノイズ発生源を保持し、他の部材に取り付け可能なホルダー手段を備え、
前記ホルダー手段は、表面にメッキ処理が施されていることを特徴とする電子機器。
【請求項３】
ノイズ発生源を保持し、他の部材に取り付け可能なホルダー手段を備え、
前記ホルダー手段は、導電性を有する材料によって成型されていることを特徴とする電子機器。
【発明の詳細な説明】
【０００１】
【発明の属する技術分野】
本発明は、少ない部品点数で、ノイズ発生源から放射されるノイズによる悪影響を除去することのできる電子機器に関する。
【０００２】
【従来の技術】
近年、携帯電話等の電子機器は小型薄型化が求められているため、筐体内部の空間が狭くなっている。したがって、電磁波ノイズ（以下、単にノイズという。）を発生する液晶表示部やＥＬ（エレクトロルミネッセンス）と、ノイズの影響によって性能が劣化する無線部等の回路とが、近接して配置されている。このため、従来は、液晶表示部等から放射されるノイズを除去するために、信号ラインや電源ラインにコンデンサを追加したり、ノイズの影響を他の回路に与えないよう、シールドケースを用いて液晶表示部等を遮蔽したりしていた。
【０００３】
シールドケースを用いる例としては、特開２００１−３５６６９７号公報に記載されているものがある。当該公報に記載の例では、回路基板の所定の位置に支持枠が設けられ、その上に液晶パネルと、液晶パネルを照明するＥＬパネルとが配置されている。また、ＥＬパネルの下面には、ＥＬ駆動回路が搭載されている。さらに、支持枠に囲まれた内部の回路基板上面の、ＥＬパネルと対向する位置には、シールド板が配置されている。このような構成により、液晶パネルやＥＬ駆動回路から放射されるノイズが、無線回路等の周辺回路に悪影響を及ぼすことを防止している。
【０００４】
【発明が解決しようとする課題】
しかしながら、上記説明した、液晶表示部等から放射されるノイズを除去するためのコンデンサを信号ラインや電源ラインに追加するといった方法では、信号に歪が生じてしまうという問題があった。さらに、このような方法では、筐体内にコンデンサを配置するための空間を確保する必要があることから、ノイズ除去のために十分な容量をもつ比較的大きなコンデンサを小型かつ薄型の筐体中に設けることができないという問題もあった。
【０００５】
また、液晶表示部等から放射されるノイズの影響を抑えるためにシールドケースを設けるといった方法では、筐体内にシールドケースを配置するための空間を確保する必要がある。しかしながら、シールドケースの設置は、機器の小型薄型化を妨げたり、コストの増加を招くという問題があった。
【０００６】
本発明は、上記問題に鑑みてなされたものであって、少ない部品点数で、ノイズ発生源から放射されるノイズによる悪影響を除去することのできる電子機器を提供することを目的としている。
【０００７】
【課題を解決するための手段】
上記問題を解決するために、本発明に係る電子機器は、ノイズ発生源を保持し、他の部材に取り付け可能なホルダー手段を備え、前記ホルダー手段は、前記ノイズ発生源から放射されたノイズを吸収する電波吸収材によって成型されているものである。したがって、ホルダー手段は、ノイズ発生源から放射されたノイズを吸収するため、結果として、ノイズは遮蔽され、他の部材に悪影響を及ぼさない。また、少ない部品点数でノイズによる悪影響を除去できるため、機器の小型薄型化とコスト削減を図ることができる。
【０００８】
また、本発明に係る電子機器は、ノイズ発生源を保持し、他の部材に取り付け可能なホルダー手段を備え、前記ホルダー手段は、表面にメッキ処理が施されているものである。したがって、ホルダー手段はノイズを遮蔽し、他の部材に悪影響を及ぼさない。また、少ない部品点数でノイズによる悪影響を除去できるため、機器の小型薄型化とコスト削減を図ることができる。
【０００９】
さらに、本発明に係る電子機器は、ノイズ発生源を保持し、他の部材に取り付け可能なホルダー手段を備え、前記ホルダー手段は、導電性を有する材料によって成型されているものである。したがって、ホルダー手段はノイズを遮蔽し、他の部材に悪影響を及ぼさない。また、少ない部品点数でノイズによる悪影響を除去できるため、機器の小型薄型化とコスト削減を図ることができる。
【００１０】
【発明の実施の形態】
以下、本発明の一実施形態として、携帯電話機に含まれる電子機器について、図１〜図３を用いて詳細に説明する。
【００１１】
図１は、本発明の一実施形態に係る電子機器を含む携帯電話機の外観斜視図である。同図に示すように、携帯電話機１は、ノイズ発生源となる液晶表示部２を有している。図２は、携帯電話機１内の電子機器の組み立て斜視図であり、図３は、図２のＡ−Ａ断面図である。図２および図３に示すように、本実施形態の電子機器は、図１にも示した液晶表示部２と、回路基板３と、液晶表示部２を保持するための、特許請求の範囲のホルダー手段に該当するホルダー４とを備えて構成されている。
【００１２】
液晶表示部２は、ホルダー４によって回路基板３上に取り付けられ、図３に示すように、回路基板３上には回路３１が設けられている。なお、回路３１は、ノイズの影響を受けると性能が劣化する。
【００１３】
ホルダー４は、電波吸収材によって成型されている。また、ホルダー４は、液晶表示部２から放射されたノイズを吸収するため、結果として、ノイズは遮蔽され、回路基板３または回路３１に悪影響を及ぼさない。
【００１４】
以上説明したように、本実施形態の電子機器によれば、電波吸収材で成型されたホルダー４が、液晶表示部２を保持した状態で、回路基板３に取り付けられているため、液晶表示部２から放射されるノイズはホルダー４によって吸収され、ノイズは遮蔽される。したがって回路基板３上の回路３１はノイズの影響を受けずに動作することができる。また、従来のようにコンデンサやシールド板を追加する必要がないため、機器の小型薄型化とコスト削減を図ることができる。
【００１５】
なお、本実施形態ではホルダー４が電波吸収剤によって成型されているが、メッキ処理を施した成型部材であっても良く、また、導電性を有する材料によって成型されていても良い。
【００１６】
【発明の効果】
以上説明したように、本発明の電子機器によれば、ホルダー手段は、ノイズ発生源を保持し、他の部材に取り付けるとともに、ノイズ発生源から放射されたノイズを吸収するため、結果として、ノイズは遮蔽され、他の部材に悪影響を及ぼさない。また、少ない部品点数でノイズによる悪影響を除去できるため、機器の小型薄型化とコスト削減を図ることができる。
【図面の簡単な説明】
【図１】本発明の一実施形態に係る電子機器を含む携帯電話機の外観斜視図
【図２】携帯電話機１内の電子機器の組み立て斜視図
【図３】図２のＡ−Ａ断面図
【符号の説明】
１　携帯電話機
２　液晶表示部
３　回路基板
３１　回路
４　ホルダー
【図１】
2004039738.tif 000003
【図２】
2004039738.tif 000004
【図３】
2004039738.tif 000005